(57)【要約】【課題】電磁波等の障害を受けにくくして、装置の誤動作と故障を防止すると共に記録装置本体と付帯装置との間の未使用の境界空間の有効利用を図る。【解決手段】本発明のケーブルの配線装置１は記録実行機能を司る記録装置本体３と、当該機能に関連する他の機能を司る付帯装置４とを備える複合タイプの記録装置１００に対して適用され、記録装置本体側のケーブル３１の配設位置と付帯装置側のケーブル３２の配設位置を離間した別の位置にそれぞれ区分けして配設するようにした。また上記別の位置は記録装置本体３内部の側方空間３３と、記録装置本体３と付帯装置４の間の境界空間３４であり、ケーブル３１、３２は更に給電系のケーブル３１Ａ、３２Ａと信号系のケーブル３１Ｂ、３２Ｂとに区分けした。【選択図】図３
2007030388.tif 000002
【特許請求の範囲】
【請求項１】
記録実行機能を司る記録装置本体と、当該機能に関連する他の機能を司る付帯装置とを備える複合機タイプの記録装置に対して適用される電気的接続を取るためのケーブルの配線装置であって、
前記ケーブルの配線装置は記録装置本体側のケーブルの配設位置と付帯装置側のケーブルの配設位置を離間した別の位置にそれぞれ区分けして配設するようにしたことを特徴とするケーブルの配線装置。
【請求項２】
請求項１において、前記記録装置本体側のケーブルの配設位置を記録装置本体内部の側方空間に、前記付帯装置側のケーブルの配設位置を記録装置本体と付帯装置との間にできた未使用の境界空間に設定したことを特徴とするケーブルの配線装置。
【請求項３】
請求項１または２において、前記記録装置本体側のケーブルと付帯装置側のケーブルはそれぞれ給電系のケーブルと信号系のケーブルとに区分けされて配設されていることを特徴とするケーブルの配線装置。
【請求項４】
請求項１〜３のいずれか１項において、前記付帯装置はスキャナ装置であることを特徴とするケーブルの配線装置。
【請求項５】
請求項４において、前記スキャナ装置側のケーブルは上部に設けられるスキャナ装置と下部に設けられる記録装置本体との間にできた水平な境界空間内に配設されており、当該境界空間内において更に信号系のケーブルであるフレキシブルフラットケーブルと、給電系のケーブルであるスキャナモータ用のケーブル及びスキャナセンサ用のケーブルと、同じく給電系のケーブルである透過ユニット用のケーブルとが仕切壁によって水平方向に区分けされて配設されていることを特徴とするケーブルの配線装置。
【請求項６】
記録実行機能を司る記録装置本体と、当該機能に関連する他の機能を司る付帯装置と、前記記録装置本体と付帯装置に対して電気を供給し、信号のやり取りを行うケーブルの配線装置とを備える複合機タイプの記録装置であって、
前記ケーブルの配線装置として請求項１〜５のいずれか１項に記載したケーブルの配線装置を適用したことを特徴とする記録装置。
【請求項７】
液体噴射実行機能を司る液体噴射装置本体と、当該機能に関連する他の機能を司る付帯装置と、前記液体噴射装置本体と付帯装置に対して電気を供給し、信号のやり取りを行うケーブルの配線装置とを備える複合機タイプの液体噴射装置であって、
前記ケーブルの配線装置は液体噴射装置本体側のケーブルの配設位置と付帯装置側のケーブルの配設位置を離間した別の位置にそれぞれ区分けして配設するようにしたことを特徴とする液体噴射装置。
【発明の詳細な説明】
【技術分野】
【０００１】
本発明は、記録実行機能を司る記録装置本体と、当該機能に関連する他の機能を司る付帯装置とを備える複合機タイプの記録装置に対して適用されるケーブルの配線装置及び該ケーブルの配線装置を備えた記録装置に関する。  
更に本発明はインク等の液体をそのヘッドから吐出（噴射）して被記録材（被液体噴射材）に記録を実行する（液体を付着する）インクジェット式記録装置などの液体噴射装置及び該液体噴射装置において設けられるケーブルの配線装置に関するものである。
【０００２】
ここで液体噴射装置とは、インクジェット式記録ヘッドが用いられ、該記録ヘッドからインクを吐出して被記録材に記録を行なうプリンタ、プロッタ、複写機及びファクシミリ等の記録装置に限らず、インクに代えてその用途に対応する液体を前記記録ヘッドに相当する液体噴射ヘッドから被記録材に相当する被液体噴射材に噴射して、前記液体を前記被液体噴射材に付着させる装置を含む意味で用いる。
【０００３】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００４】
図５に基づいて、記録装置の一例として上部にスキャナ装置、下部にプリンタ本体を備えた複写機としても使用できる複合機タイプのインクジェットプリンタ２００を例に採って説明する。この種のインクジェットプリンタ２００では、プリンタ本体２０３に加えてスキャナ装置２０４を備えている関係で給電系及び信号系のケーブルが多数本配設されることになる。従って、従来から下記特許文献１、２に示すようにケーブルの配線装置に関する種々の発明が提案されている。
【０００５】
例えば特許文献１では、ＵＳＢケーブルを例に採ってＵＳＢケーブルの使い勝手を向上させるケーブルの配線装置が開示されている。また、特許文献２ではハウジングの高さを増大させることなくスキャナ装置に接続されるフレキシブルフラットケーブルの原稿台への接触を防止するようにしたケーブルの配線装置が開示されている。また、特許文献２でも述べられているように、この種のインクジェットプリンタ２００ではプリンタ本体２０３の上部にスキャナ装置２０４が載置されている関係上、ハウジングの高さがどうしても増大する傾向にある。従って、図５に示すようにプリンタ本体２０３とスキャナ装置２０４との境界には、ほとんど空間を設けることなく両者を密着させた状態とし、できるだけハウジング２０６の高さを低くする構造が採用されていた。
【０００６】
これに伴い、プリンタ本体２０３とスキャナ装置２０４の多数本の給電系及び信号系のケーブルは、プリンタ本体２０３内部の側方空間に一まとめに配線されていた。しかし、種類の違う装置のケーブルが密接状態で配線されたり、給電系のケーブルと信号系のケーブルが同じ場所にいっしょに配線されると電磁波等の障害を受け易くなり、誤動作や故障の原因となる。  
また、必要以上にハウジング２０６の高さを低くすると却って排紙スタッカ２５０の開閉操作が困難になったり、メモリスロット部２０９へのメモリカードの出し入れ操作がやりにくくなるため、最近の傾向では幾分ハウジング２０６の高さが高くなっても操作性の方を重視した設計のインクジェットプリンタが多く登場するようになってきている。
【０００７】
【特許文献１】特開２００５−１１９０４５号公報
【特許文献３】特開２００４−１０４３９２号公報
【発明の開示】
【発明が解決しようとする課題】
【０００８】
そこで本発明は、このような背景技術及び背景技術が抱えていた問題点の存在を踏まえてなされたものであって、ケーブルの配設位置と配設形態を工夫することによって電磁波等の障害を受けにくくして、装置の誤動作と故障を防止すると共に、ハウジングを高くすることによって生じた記録装置本体と付帯装置との間の未使用の境界空間の有効利用を図ることのできるケーブルの配線装置及び該ケーブルの配線装置を備えた記録装置等を提供することを課題とするものである。
【課題を解決するための手段】
【０００９】
上記課題を解決するために本発明の第１の態様に係るケーブルの配線装置は、記録実行機能を司る記録装置本体と、当該機能に関連する他の機能を司る付帯装置とを備える複合機タイプの記録装置に対して適用されるケーブルの配線装置であって、前記ケーブルの配線装置は記録装置本体側のケーブルの配設位置と付帯装置側のケーブルの配設位置を離間した別の位置にそれぞれ区分けして配設するようにしたことを特徴とするものである。
【００１０】
本発明の第１の態様によれば、記録装置本体側のケーブルと付帯装置側のケーブル間に生じていた電磁波等の障害が防止されるから、当該電磁波等の障害に起因して引き起こされていた装置の誤動作や故障が防止される。
【００１１】
本発明の第２の態様に係るケーブルの配線装置は、本発明の第１の態様において、前記記録装置本体側のケーブルの配設位置を記録装置本体内部の側方空間に、前記付帯装置側のケーブルの配設位置を記録装置本体と付帯装置との間にできた未使用の境界空間に設定したことを特徴とするものである。  
本発明の第２の態様によれば、例えば操作性等を向上させるためにハウジングの高さを高くすることによってできた記録装置本体と付帯装置との間の未使用空間の有効利用を図ることができ、同時に異なる装置のケーブルを離間することができ電磁波等の障害も防止できる。
【００１２】
本発明の第３の態様に係るケーブルの配線装置は、本発明の第１の態様または第２の態様において、前記記録装置本体側のケーブルと付帯装置側のケーブルはそれぞれ給電系のケーブルと信号系のケーブルとに区分けされて配設されていることを特徴とするものである。  
本発明の第３の態様によれば、給電系のケーブルと信号系のケーブル間に生じていた電磁波等の障害が防止されるから、当該電磁波等の障害に起因して引き起こされていた装置の誤動作や故障が防止される。
【００１３】
本発明の第４の態様に係るケーブルの配線装置は、本発明の第１〜第３のいずれか１つの態様において、前記付帯装置はスキャナ装置であることを特徴とするものである。  
本発明の第４の態様によれば、上部にスキャナ装置、下部に記録装置本体を備えた複写機としても使用できる複合機タイプの記録装置において電磁波等の障害を防止でき、加えてスキャナ装置と記録装置本体間の未使用空間の有効利用を図ることができる。
【００１４】
本発明の第５の態様に係るケーブルの配線装置は、本発明の第４の態様において、前記スキャナ装置側のケーブルは上部に設けられるスキャナ装置と下部に設けられる記録装置本体との間にできた水平な境界空間内に配設されており、当該境界空間内において更に信号系のケーブルであるフレキシブルフラットケーブルと、給電系のケーブルであるスキャナモータ用のケーブル及びスキャナセンサ用のケーブルと、同じく給電系のケーブルである透過ユニット用のケーブルとが仕切壁によって水平方向に区分けされて配設されていることを特徴とするものである。
【００１５】
本発明の第５の態様によれば、排出用スタッカの開閉操作やメモリスロット部に対するメモリカードの出し入れ操作等を容易にするためにハウジングの高さを高くすることによってできた記録装置本体とスキャナ装置との間にできた水平な未使用空間の有効利用を図ることができる。加えて給電系の２種類のケーブルと信号系の１種類のケーブルが仕切壁によって区分けされているからこれらのケーブル間に生ずる電磁波等の障害も防止されている。
【００１６】
本発明の第６の態様に係る記録装置は、記録実行機能を司る記録装置本体と、当該機能に関連する他の機能を司る付帯装置と、前記記録装置本体と付帯装置に対して電気を供給し、信号のやり取りを行うケーブルの配線装置とを備える複合機タイプの記録装置であって、前記ケーブルの配線装置として本発明の第１〜第５のいずれか１つの態様のケーブルの配線装置を適用したことを特徴とするものである。
【００１７】
本発明の第６の態様によれば、ケーブルの配設位置と配設形態を工夫することによって電磁波等の障害を受けにくくして、装置の誤動作と故障を防止すると共にハウジングを高くすることによって生じた記録装置本体と付帯装置との境界空間の有効利用を図ることのできるケーブルの配線装置を備えた記録装置を提供することが可能となる。
【００１８】
本発明の第７の態様に係る液体噴射装置は、液体噴射実行機能を司る液体噴射装置本体と、当該機能に関連する他の機能を司る付帯装置と、前記液体噴射装置本体と付帯装置に対して電気を供給し、信号のやり取りを行うケーブルの配線装置とを備える複合機タイプの液体噴射装置であって、前記ケーブルの配線装置は液体噴射装置本体側のケーブルの配設位置と付帯装置側のケーブルの配設位置を離間した別の位置にそれぞれ区分けして配設するようにしたことを特徴とするものである。
【発明を実施するための最良の形態】
【００１９】
以下、本願発明に係るケーブルの配線装置及び該ケーブルの配線装置を備えた液体噴射装置の一例である記録装置について説明する。最初に本願発明の液体噴射装置、そしてその一例である記録装置を実施するための最良の形態としてインクジェットプリンタ１００を採り上げて、その全体構成の概略を図面に基づいて説明する。
【００２０】
図１は排出用スタッカを拡開し、給送用トレイを引き出した状態のインクジェットプリンタの外観を示す斜視図、図２は排出用スタッカを拡開し、給送用トレイを引き出した状態のインクジェットプリンタの内部構造の概略を示す側断面図である。
【００２１】
尚、ここで説明するインクジェットプリンタ１００は、図１に示すように液体噴射装置本体、そして記録装置本体の一例であるプリンタ本体３の上方にスキャナ装置４を備えた複写機としても使用することのできる複合機タイプのインクジェットプリンタである。また、このインクジェットプリンタ１００には、記録実行後の被液体噴射材の一例である被記録材Ｐ（以下単に用紙Ｐともいう）を排出する排出用スタッカ５０と、デジタルカメラで撮影した写真データが収録されたメモリカード等を挿入するためのメモリスロット部９が設けられていて、排出用スタッカ５０の開閉操作やメモリカード等の挿入操作が容易に行えるよう、プリンタ本体３及びスキャナ装置４を含むハウジング６の高さが幾分高めに設定されており、プリンタ本体３の前面開口３０が比較的大きめに設定されたインクジェットプリンタ１００となっている。
【００２２】
また、プリンタ本体３の前面上部にはパネル面２７が設けられており、パネル面２７の中央に液晶モニタ画面７、その左右に操作ボタン８が配設されている。また、パネル面２７の下方中央部に上述したメモリスロット部９が設けられている。尚、このメモリスロット部９には、図示しないメモリカードが挿入され、液晶モニタ画面７を見ながら操作ボタン８を操作することによって好みの写真を簡単に家庭に居ながら何枚でも高品質にパーソナルコンピュータを使用しないでダイレクトにプリントできるようになっている。
【００２３】
また、プリンタ本体３の前面にはプリンタ本体３のほぼ幅寸法一杯に開口され、斜め前方下方を向くように傾斜姿勢で上記前面開口３０が設けられている。
【００２４】
プリンタ本体３の背面側の上部には自動的に用紙Ｐを連続して給送することのできる自動給送装置２が設けられている。自動給送装置２は、用紙Ｐを複数枚積畳し得る給送用トレイ５と、給送用トレイ５上の用紙Ｐを給送用ローラ１４に向けて押上げるホッパ１６と、ホッパ１６との挟圧送り作用によって給送用トレイ５上の上位の用紙Ｐをピックアップする給送用ローラ１４と、最上位の用紙Ｐのみが給送されるように重送された後続の用紙Ｐを最上位の用紙Ｐから分離する分離作用部の一例である図示しない分離パッドないしリタードローラと、分離された後続の用紙Ｐを給送用トレイ５上に戻す図示しない戻しレバーとを備えている。
【００２５】
次に、用紙Ｐの搬送経路に従ってインクジェットプリンタ１００の内部構造の概略を説明する。給送用トレイ５は、最も搬送方向上流側に設けられおり、複数枚の用紙Ｐを積畳する被液体噴射材積畳部の一例である部材である。また給送用トレイ５には用紙Ｐの側端縁（エッジ）に当接し、用紙Ｐの搬送方向となる副走査方向Ｙへの円滑な搬送を案内するエッジガイド１５が設けられている。給送用トレイ５上の用紙Ｐは、給送用ローラ１４の回転軸１７の回転に伴って、ホッパ１６が所定のタイミングで上昇し、給送用ローラ１４に向けて押し上げられる。そして、給送用ローラ１４の回転に伴って最上面に位置する用紙Ｐから順番に給送用ローラ１４近傍に設けられる分離作用部の一例である図示しない分離パッドないしリタードローラの力を借りて単位数ずつピックアップして搬送方向下流に向けて搬送される。
【００２６】
給送用ローラ１４の下流には、用紙Ｐの通過を検出する被液体噴射材検出手段の一例である図示しない被記録材検出手段（以下単に検出レバーという）が設けられており、検出レバーの下流には搬送用駆動ローラ１９ａと搬送用従動ローラ１９ｂとによって構成される搬送用ローラ１９が設けられている。このうち搬送用従動ローラ１９ｂは、図示しない搬出用従動ローラ用のローラホルダの下流側において軸支され、当該ローラホルダは、図示しないねじりコイルバネによって搬送用従動ローラ１９ｂが常に搬送用駆動ローラ１９ａに圧接したニップ状態になるように回動付勢されている。
【００２７】
そして、搬送用ローラ１９によって挟圧された状態で搬送される用紙Ｐは、記録ポジション２６に導かれ、記録ポジション２６には用紙Ｐに記録を実行する液体噴射実行手段の一例である記録実行手段の主たる構成要素として、主走査方向Ｘに往復可能に走行し得るキャリッジガイド軸１２によって軸支され、無端ベルト１１によって駆動されるキャリッジ１０が設けられている。そして、該キャリッジ１０の下面には用紙Ｐ等に液体の一例であるインクを吐出（噴射）して記録を実行する液体噴射ヘッドの一例である記録ヘッド１３が搭載されている。また、キャリッジ１０には液体カートリッジの一例であるインクカートリッジＣが装着されている。
【００２８】
記録ヘッド１３の下方には、記録ヘッド１３と対向して記録ヘッド１３のヘッド面と用紙Ｐ等との間のギャップＰＧを規定するプラテン２８が設けられている。そしてキャリッジ１０とプラテン２８との間に用紙Ｐ等を主走査方向Ｘと直交する副走査方向Ｙに所定の搬送量で搬送する動作と、記録ヘッド１３を主走査方向Ｘに一往復させる間に記録ヘッド１３から用紙Ｐ等にインクを噴射する動作とを相互に繰り返すことによって用紙Ｐ等の記録面のほぼ全面に亘って所望の記録が実行される。尚、上記ギャップＰＧは、高精度の記録を実行する上で極めて重要な要素となっており、用紙Ｐの厚さの変化等に応じて適宜調節されるようになっている。
【００２９】
記録ヘッド１３の下流には排出用駆動ローラ２０ａと、排出用従動ローラ２０ｂとによって構成される被液体噴射材排出手段の一例である排出用ローラ２０が設けられている。また、排出用従動ローラ２０ｂ近傍の搬送方向上流には、排出用補助従動ローラ２２が設けられている。そして、排出用ローラ２０によって排出された用紙Ｐは、更に搬送方向下流に位置する被液体噴射材受け部の一例である本発明の排出用スタッカ５０上の載置面５１に排出されるようになっている。
【００３０】
排出用従動ローラ２０ｂと排出用補助従動ローラ２２は、その外周に複数の歯を有する歯付きローラであり、それぞれを保持するローラホルダによって自由回転可能に軸支されている。また、上記搬送用従動ローラ１９ｂは、搬送用駆動ローラ１９ａよりその軸芯位置が幾分搬送方向下流側に位置するように配設されており、上記排出用従動ローラ２０ｂは排出用駆動ローラ２０ａより軸芯位置が幾分搬送方向上流側に位置するように配設されている。このような配設態様をとることによって、用紙Ｐは搬送用ローラ１９と排出用ローラ２０との間において僅かに下に凸となる俗に「逆ぞり」と呼ばれている湾曲状態が形成される。これにより、記録ヘッド１３に対向する位置にある用紙Ｐは、プラテン２８に押し付けられ、用紙Ｐの浮き上がりが防止されて正常に記録が実行されるようになっている。
【００３１】
［実施例］
次に、このようなインクジェットプリンタ１００に対して適用される本発明のケーブルの配線装置１について図面に基づいて具体的に説明する。  
図３は本発明のケーブルの配線装置を適用したインクジェットプリンタを示す縦断正面図である。また図４はスキャナ装置側のケーブルの配線装置を示すインクジェットプリンタの部分拡大斜視図である。
【００３２】
本発明のケーブルの配線装置１は、プリンタ本体側のケーブル３１の配設位置と付帯装置であるスキャナ装置側のケーブル３２の配設位置を離間した別の位置にそれぞれ区分けして配設することによって構成されている。即ちプリンタ本体側のケーブル３１の配設位置をプリンタ本体３内部の側方空間３３に、スキャナ装置側のケーブル３２の配設位置をプリンタ本体３とスキャナ装置４との間にできた未使用の境界空間３４にそれぞれ配設することによってケーブルの配線装置１は構成されている。すなわち、排出用スタッカ５０の開閉操作やメモリカード等の挿入操作が容易に行えるように、プリンタ本体３及びスキャナ装置４を含むハウジング６の高さを従来より幾分高めに設定したことにより出来た未使用の前記境界空間３４を利用したケーブルの配線装置である。
【００３３】
また、プリンタ本体側のケーブル３１とスキャナ装置側のケーブル３２は、それぞれ給電系のケーブル３１Ａ、３２Ａと、信号系のケーブル３１Ｂ、３２Ｂとに区分けされている。因みに本実施例では、図３に示すようにプリンタ本体３側の給電系のケーブル３１Ａが上記側方空間３３におけるハウジング６の内壁面寄りの下方に設けられており、プリンタ本体３側の信号系のケーブル３１Ｂが上記側方空間３３におけるサイドフレーム３５の外壁面寄りの上方に設けられている。
【００３４】
一方、スキャナ装置４側では、スキャナ装置４とプリンタ本体３の間の図３中左方寄りにできた水平な境界空間３４を利用してケーブル３２が配設されており、当該境界空間３４内において更に信号系のケーブル３２Ｂであるフレキシブルフラットケーブル（以下ＦＦＣという）３６と、給電系のケーブル３２Ａであるスキャナモータ用のケーブル３７及びスキャナセンサ用のケーブル３８と、同じく給電系のケーブル３２Ａである透過ユニット用のケーブル３９とが仕切壁４０によって水平方向に溝状に区分けされて配設されている。
【００３５】
次に、このようにして構成されるケーブルの配線装置１の作用について説明する。先ずプリンタ本体側のケーブル３１は、従来と同様、プリンタ本体３の側方空間３３内に配設されているが、スキャナ装置側のケーブル３２が存在しない分、配設位置の自由度が増し上述したように給電系のケーブル３１Ａと信号系のケーブル３１Ｂを互いに離間した位置に配設することが可能になっている。従って、給電系のケーブル３１Ａと信号系のケーブル３１Ｂ間に生ずる電磁波等の障害が防止される。
【００３６】
一方、スキャナ装置側のケーブル３２は、従来プリンタ本体側のケーブル３１といっしょに配設されていたプリンタ本体３の側方空間３３から離れ、当該側方空間３３と離間した位置にあるプリンタ本体３とスキャナ装置４との間に形成されている境界空間３４内に配設されている。従って、異なる装置３、４のケーブル３１、３２間で生ずる電磁波等の障害が防止される。また、境界空間３４内では信号系のケーブル３２Ｂと給電系のケーブル３２Ａが仕切壁４０によって区分けされており、給電系のケーブル３２Ａは更にスキャナモータ用のケーブル３７及びスキャナセンサ用のケーブル３８と透過ユニット用のケーブル３９とに仕切壁４０によって区分けされている。従って、給電系のケーブル３２Ａと信号系のケーブル３２Ｂ間に生ずる電磁波等の障害と、種類の異なる給電系のケーブル３２Ａ間に生ずる電磁波等の障害が防止される。
【００３７】
［他の実施例］
本願発明に係るケーブルの配線装置１及び該ケーブルの配線装置１を備えた記録装置１００等は、以上述べたような構成を基本とするものであるが、本願発明の要旨を逸脱しない範囲内の部分的構成の変更や省略等を行なうことも勿論可能である。例えば、付帯装置４は、スキャナ装置４に限らず記録装置本体３の記録実行機能に関連する種々の装置が適用できる。例えば、前記実施例においても設けられていた液晶モニタ画面７やメモリスロット部９も付帯装置４の一例であり、ワードプロセッサ等の文字入力装置やノート型のパーソナルコンピュータ等を搭載した記録装置１００であれば、ワードプロセッサやノート型のパーソナルコンピュータ等も付帯装置４に含まれる。また、適用する付帯装置４の大きさ、形状、配設位置等に応じて境界空間３４の大きさ、形状、位置や数も異なるため当該境界空間３４に応じて適宜ケーブル３１、３２の配設位置や配設形態を可変することが可能である。
【図面の簡単な説明】
【００３８】
【図１】排出用スタッカ拡開時のインクジェットプリンタを示す斜視図。
【図２】インクジェットプリンタの内部構造の概略を示す側断面図。
【図３】ケーブルの配線装置を示すインクジェットプリンタの縦断正面図。
【図４】ケーブルの配線装置を示すインクジェットプリンタの部分拡大斜視図。
【図５】従来のインクジェットプリンタの内部構造の概略を示す側断面図。
【符号の説明】
【００３９】
１  ケーブルの配線装置、２  自動給送装置、３  プリンタ本体（記録装置本体）、
４  スキャナ装置（付帯装置）、５  給送用トレイ、６  ハウジング、
７  液晶モニタ画面、８  操作ボタン、９  メモリスロット部、１０  キャリッジ、
１１  無端ベルト、１２  キャリッジガイド軸、１３  記録ヘッド、１４  給送用ローラ
、１５  エッジガイド、１６  ホッパ、１７  回転軸（給送用ローラの）、
１９  搬送用ローラ、１９ａ  搬送用駆動ローラ、１９ｂ  搬送用従動ローラ、
２０  排出用ローラ、２０ａ  排出用駆動ローラ、２０ｂ  排出用従動ローラ、
２２  排出用補助従動ローラ、２６  記録ポジション、２７  パネル面、２８  プラテン
３０  前面開口、３１  ケーブル（プリンタ本体側の）、３１Ａ  給電系のケーブル、
１Ｂ  信号系のケーブル、３２  ケーブル（スキャナ装置側の）、
３２Ａ  給電系のケーブル、３２Ｂ  信号系のケーブル、３３  側方空間、
３４  境界空間、３５  サイドフレーム、３６  フレキシブルフラットケーブル、
３７  スキャナモータ用のケーブル、３８  スキャナセンサ用のケーブル、
３９  透過ユニット用のケーブル、４０  仕切壁、５０  排出用スタッカ、５１  載置面１００  インクジェットプリンタ（記録装置）、Ｐ  用紙（被記録材）、Ｘ  主走査方向
Ｙ  副走査方向、ＰＧ  プラテンギャップ、Ｃ  インクカートリッジ
【図１】
2007030388.tif 000003
【図２】
2007030388.tif 000004
【図３】
2007030388.tif 000005
【図４】
2007030388.tif 000006
【図５】
2007030388.tif 000007